(57)【要約】【課題】テンプレート基盤フラッシュイメージ生成機能を備える移動機器及び該移動機器を用いてフラッシュイメージを生成する方法を提供する。【解決手段】イメージの個数を入力する段階と、第１メモリに保存されたイメージを選択する段階と、第２メモリ部に保存された背景テンプレートを選択する段階と、第２メモリ部に保存されたアイコンテンプレートを選択する段階と、テキスト入力窓からテキストを入力する段階と、時間を設定する段階と、第２メモリ部に保存された効果テンプレートを選択する段階と、選択したイメージ、背景テンプレート、アイコンテンプレート、テキスト及び設定された時間を効果テンプレートを基盤として複写する段階と、複写したデータをフラッシュイメージとして生成し第３メモリ部に保存する段階とからなるフラッシュイメージ生成機能を備える移動機器及びこれを用いるフラッシュイメージ生成方法とした。【選択図】図２
2008067389.tif 000002
【特許請求の範囲】
【請求項１】
無線信号を転送する送／受信処理部（６０）と、送／受信処理部（６０）からの受信信号よりメッセージ情報及び音声信号をデコーディングするデコーダ（６１）と、複数のボタンで構成されたキー入力部（７０）と、保存されたフラッシュイメージをディスプレイする表示部（７１）と、制御部（６４）の制御の下に作動するプログラムとイメージを保存する第１メモリ部（６６）と、背景テンプレート、アイコンテンプレート及び効果テンプレートを保存する第２メモリ部（６７）と、最終生成されたフラッシュイメージを保存する第３メモリ部（６８）とからなり、テンプレート基盤フラッシュイメージ生成機能を備える移動機器（１）であって、
選択したイメージ、背景テンプレート、アイコンテンプレート、テキスト及び設定された時間を、効果テンプレートを基盤として複写し、
複写したデータをフラッシュイメージとして生成して第３メモリ部に保存する、
ことを特徴とする、テンプレート基盤フラッシュイメージ生成機能を備える移動機器（１）。
【請求項２】
選択したイメージ、背景テンプレート、アイコンテンプレート、テキスト及び設定された時間を効果テンプレートを基盤として複写することは、
選択した第１メモリ部のイメージを第３メモリ部に臨時保存し、
第２メモリ部に保存された背景テンプレートとアイコンテンプレートを第３メモリ部に臨時保存し、
第２メモリ部に保存された効果テンプレートをローディング（Ｓ３２０）し、
第３メモリ部に保存されたイメージを効果テンプレートのイメージ部分に複写（Ｓ３４０）し、
背景テンプレートとアイコンテンプレートを効果テンプレートの背景部分とアイコン部分にそれぞれ複写（Ｓ３５０，Ｓ３６０）し、
入力したテキストを効果テンプレートのテキスト部分に複写（Ｓ３７０）し、
設定した時間分、フレームを追加（Ｓ３８０）し、第３メモリ部に臨時保存する
ことを特徴とする、請求項１に記載のテンプレート基盤フラッシュイメージ生成機能を備える移動機器（１）。
【請求項３】
前記テンプレートは、フラッシュイメージを２進コード（ｂｉｎａｒｙ  ｃｏｄｅ）形態とテキスト形態で作ったファイルである、または、テンプレート基盤フラッシュイメージを生成するプログラムのメモリ領域にフラッシュイメージを２進コード形態とテキスト形態で保存されたデータであることを特徴とする、請求項１に記載のテンプレート基盤フラッシュイメージ生成機能を備える移動機器（１）。
【請求項４】
複写したデータをフラッシュイメージとして生成して第３メモリ部に保存することは、第３メモリ部に臨時保存された複写したデータを分析し、フラッシュイメージヘッダを作って臨時保存し、
複写したデータをフラッシュイメージ形態に変換し、これを臨時保存したフラッシュイメージヘッダの後に複写してフラッシュイメージを生成して第３メモリ部に保存することを特徴とする、請求項１に記載のテンプレート基盤フラッシュイメージ生成機能を備える移動機器（１）。
【請求項５】
請求項１に記載のテンプレート基盤フラッシュイメージ生成機能を備える移動機器でテンプレート基盤フラッシュイメージを生成する方法であって、
選択したイメージ、背景テンプレート、アイコンテンプレート、テキスト及び設定された時間を効果テンプレートを基盤として複写し、
複写したデータをフラッシュイメージとして生成して第３メモリ部に保存する
ことを特徴とする、テンプレート基盤フラッシュイメージ生成方法。
【請求項６】
背景テンプレート、アイコンテンプレート、効果テンプレート及び保存されるイメージは、ＳＶＧ（Ｓｃａｌａｂｌｅ  Ｖｅｃｔｏｒ  Ｇｒａｐｈｉｃ）フォーマットイメージであることを特徴とする、請求項１に記載のテンプレート基盤フラッシュイメージ生成機能を備える移動機器（１）。
【請求項７】
背景テンプレート、アイコンテンプレート、効果テンプレート及び保存されるイメージは、ＶＩＳ（Ｖｅｃｔｏｒ  Ｉｍａｇｅ  Ｓｏｌｕｔｉｏｎ）フォーマットイメージであることを特徴とする、請求項１に記載のテンプレート基盤フラッシュイメージ生成機能を備える移動機器（１）。
【請求項８】
背景テンプレート、アイコンテンプレート、効果テンプレート及び保存されるイメージは、ＤＭＦ（Ｄｉｇｉｔａｌ  Ａｒｉａ  Ｍｏｂｉｌｅ  Ｆｏｒｍａｔ）イメージであることを特徴とする、請求項１に記載のテンプレート基盤フラッシュイメージ生成機能を備える移動機器（１）。
【発明の詳細な説明】
【技術分野】
【０００１】
本発明は、テンプレート基盤フラッシュイメージ生成機能を備える移動機器及び該移動機器を用いてフラッシュイメージを生成する方法に関するもので、特に、専用プログラムを使用することなく簡便に所望のテンプレートを選択し複写することによってフラッシュイメージとして保存できる、テンプレート基盤フラッシュイメージ生成機能を備える移動機器及びフラッシュイメージ生成方法に関する。
【背景技術】
【０００２】
ＳＷＦ形式のフラッシュイメージは、フラッシュムビーファイルで、ファイル名の後にＳＷＦ'という拡張子がつく、インターネット上やブラウザーまたはプラグインの設置されているコンピュータから見られるイメージファイルであり、ＦＬＡ型式のファイルは、修正や削除のような作業のためのファイルで、ファイル名の後には拡張子‘ＦＬＡ’がつき、一般の人々にはＳＷＦ形式のファイルとして見られる。該ＳＷＦファイル（完成ファイル）は、ＦＬＡファイル（作業ファイル）で作業後に、ＦＬＡファイルから生成（ｐｕｂｌｉｓｈｉｎｇ）する。
【０００３】
図４は、ＦＬＡ型式のファイルを製作し、編集したり製作されたＦＬＡ型式のファイルをＳＷＦ形式のファイルにコンパイルすることによってＳＷＦ形式のファイルを製作するプログラムである‘Ｍａｃｒｏｍｅｄｉａ  Ｆｌａｓｈ  Ｐｒｏｆｅｓｓｉｏｎａｌ  ８’の画面をキャプチャーした図である。図４で、未説明符号１３５はＦＬＡ型式のファイル名、１３６はＦＬＡ型式のファイルに新しい客体や動的効果などを挿入する機能を持つメニュー、１３７はＦＬＡを編集するためのメニュー、１３８はファイルを開くか保存するためのメニュー、１３４はフラッシュイメージを構成する要素の層をそれぞれ示している。
【０００４】
従来において一般の人々に見られるファイルであるＳＷＦ形式のファイルを製作するには、所定の専用プログラムを用いてＦＬＡ型式のファイルを生成し、生成されたＦＬＡ型式のファイルをＳＷＦ形式のファイルにコンパイリングしなければならなかった。
【０００５】
なお、本願発明の先行技術文献として、以下のものが挙げられる。
【特許文献１】特開２００７−６８１８２公報
【発明の開示】
【発明が解決しようとする課題】
【０００６】
しかしながら、上記のように、フラッシュイメージの製作のためには、複雑な専用プログラムを用いてＦＬＡ型式のファイルを編集し、再びコンパイルしなければならず、ＰＣのような機器でしか使用することができなかった。したがって、需要が益々増大しつつある移動通信端末機のような移動機器ではフラッシュイメージを生成できず、初期に保存された形態のフラッシュイメージをそのまま使用しなければならないという問題点があった。
【０００７】
本発明は上記の問題点を解決するためのもので、その目的は、移動機器上で撮影されたイメージと提供されたテンプレートとを用いて様々な動的効果を持つフラッシュイメージを生成する、テンプレート基盤フラッシュイメージ生成機能を備える移動機器及びフラッシュイメージ生成方法を提供することにある。
【課題を解決するための手段】
【０００８】
上記目的を達成する本発明に係るテンプレート基盤フラッシュイメージ生成機能を備える移動機器は、無線信号を転送する送／受信処理部（６０）と、送／受信処理部（６０）からの受信信号よりメッセージ情報及び音声信号をデコーディングするデコーダ（６１）と、複数のボタンで構成されたキー入力部（７０）と、保存されたフラッシュイメージをディスプレイする表示部（７１）と、制御部（６４）の制御の下に作動するプログラムとイメージを保存する第１メモリ部（６６）と、背景テンプレート、アイコンテンプレート及び効果テンプレートを保存する第２メモリ部（６７）と、最終生成されたフラッシュイメージを保存する第３メモリ部（６８）とからなり、移動機器をオンにし、イメージ個数を入力し；第１メモリ部に保存されたイメージを選択し；、第２メモリ部に保存された背景テンプレートとアイコンテンプレートを選択し；テキスト入力窓からテキストが入力され；イメージ個数が１以上である場合、イメージディスプレイ間隔を調節するために時間を受信して設定し；第２メモリ部に保存された効果テンプレートを選択し；選択したイメージ、背景テンプレート、アイコンテンプレート、テキスト及び設定された時間を、効果テンプレートを基盤として複写し；複写したデータをフラッシュイメージとして生成して第３メモリ部に保存することを特徴とする。
【０００９】
前記移動機器において選択したイメージ、背景テンプレート、アイコンテンプレート、テキスト及び設定された時間を効果テンプレートを基盤として複写することは、選択した第１メモリ部のイメージを第３メモリ部に臨時保存し、第２メモリ部に保存された背景テンプレートとアイコンテンプレートを第３メモリ部に臨時保存し、第２メモリ部に保存された効果テンプレートをローディングし、編集するイメージ個数が２以上である場合、選択した効果テンプレートを複写し、新しい拡張された効果テンプレートを作ってローディングし、第３メモリ部に保存されたイメージを効果テンプレートのイメージ部分に複写し、背景テンプレートとアイコンテンプレートを効果テンプレートの背景部分とアイコン部分にそれぞれ複写し、入力したテキストを効果テンプレートのテキスト部分に複写し、設定した時間分、フレームを追加し、第３メモリ部に臨時保存することを特徴とする。
【００１０】
前記テンプレートは、フラッシュイメージを２進コード（ｂｉｎａｒｙ  ｃｏｄｅ）形態とテキスト形態で作ったファイルである、または、生成プログラムのメモリに保存されたコードであることを特徴とし、
前記複写する過程において、編集するイメージの個数（Ｎ）が２以上である場合、選択した効果テンプレートを結合して新しい拡張された効果テンプレートを作ることを特徴とし、
前記移動機器において複写したデータをフラッシュイメージとして生成して第３メモリ部に保存することは、第３メモリ部に臨時保存された複写したデータを分析し、フラッシュイメージヘッダを作って臨時保存し、複写したデータをフラッシュイメージ形態に変換し、これを臨時保存したフラッシュイメージヘッダの後に複写してフラッシュイメージを生成し、これを第３メモリ部に保存することを特徴とする。
【００１１】
また、上記のテンプレート基盤フラッシュイメージ生成機能を備える移動機器でテンプレート基盤フラッシュイメージを生成する方法は、移動機器をオンにし、イメージ個数を入力する段階（Ｓ１１０）と；第１メモリ部に保存されたイメージを選択する段階（Ｓ１２０）と；第２メモリ部に保存された背景テンプレートを選択する段階（Ｓ１３０）と； 第２メモリ部に保存されたアイコンテンプレートを選択する段階（Ｓ１４０）と；テキスト入力窓からテキストが入力される段階（Ｓ１５０）と；イメージ個数が１以上である場合、イメージディスプレイ間隔を調節するために時間を設定する段階（Ｓ１６０）と；第２メモリ部に保存された効果テンプレートを選択する段階（Ｓ１７０）と；選択したイメージ、背景テンプレート、アイコンテンプレート、テキスト及び設定された時間を効果テンプレートを基盤として複写する段階（Ｓ１８０）と；複写したデータを第３メモリ部に保存する段階（Ｓ２００）と；からなることを特徴とする。
【発明の効果】
【００１２】
本発明のテンプレート基盤フラッシュイメージを生成する機能を備える移動機器及び該移動機器を用いてフラッシュイメージを生成する方法によれば、フラッシュイメージを生成するための専用プログラムを使用せず、簡便に制限された範囲内でフラッシュイメージを生成することが可能になる他、生成されたフラッシュイメージを移動機器間に転送するか、有線及び無線網を通して他の移動機器に転送する、電子メールを用いて送付する、または、インターネット掲示板にアップロードすることができ、効果的な情報伝達が可能になる。
【発明を実施するための最良の形態】
【００１３】
以下、添付の図面を参照しつつ、本発明に係るテンプレート基盤フラッシュイメージを生成する機能を備える移動機器及び該移動機器を用いるフラッシュイメージの生成方法の好適な実施例について詳細に説明する。図面中、同一の構成要素には可能な限り同一の参照符号を付する。なお、下記の説明において従来技術と同じ作用をする構成については同じ名称を共通使用するものとする。
【００１４】
図１は、本発明の好適な実施例によるテンプレート基盤フラッシュイメージを生成する機能を備える移動機器を示すブロック図であり、図２は、本発明の好適な実施例によるテンプレート基盤フラッシュイメージを生成する方法を示すフローチャートであり、図３は、テンプレート基盤複写過程を示すフローチャートであり、図５は、複写した効果テンプレートにイメージ、背景テンプレート、アイコンテンプレート及びテキストを複写した例を示す図であり、図６は、効果テンプレートと拡張された効果テンプレートの例を示す図であり、図７は、設定した時間を適用する過程を示す図であり、図８は、生成したフラッシュイメージがディスプレイされる過程をキャプチャーした図である。
【００１５】
図１に示すように、本発明の好適な実施例によるテンプレート基盤フラッシュイメージを生成する機能を備える移動機器は、無線信号を転送する送／受信処理部６０と、送／受信処理部６０からの受信信号よりメッセージ情報及び音声信号をデコーディングするデコーダ６１と、複数のボタンで構成されたキー入力部７０と、フラッシュイメージをディスプレイする表示部７１と、制御部６４の制御の下に作動するプログラムとイメージを保存する第１メモリ部６６、背景テンプレート、アイコンテンプレート及び効果テンプレートを保存する第２メモリ部６７、及び、最終生成されたフラッシュイメージを保存する第３メモリ部６８からなるメモリ部９０と、から構成される。
【００１６】
ここで、メモリ部９０は、一枚のメモリチップからなって分割される構成としても良く、個別のメモリチップからなる構成としても良い。本実施例の移動機器は、カメラ機能を備えることができ、図１に示すように、撮像部７２を介して被写体を撮像し、これを表示部７１にディスプレイする、または、第１メモリ部６６に保存することができる。撮像部７２を介して被写体を撮像する、または、撮像したイメージを第１メモリ部６６に保存する過程についての詳細は省略する。なお、当該イメージの保存されている第１メモリ部６６には、送／受信処理部６０やインターフェース部８２を介して、特定サーバーに保存されているイメージやＰＣに保存されているイメージをダウンロードして保存することができる。
【００１７】
次に、図１に示す移動機器の第１メモリ部に備えられるイメージと第２メモリ部に備えられる背景テンプレート、アイコンテンプレート及び効果テンプレートを基盤としてフラッシュイメージを生成するプログラムの作動について、図５及び図７を参照して説明する。
【００１８】
テンプレートを基盤として複写する過程では、図５に示すように、効果テンプレートを複写した後に、選択したイメージ５０４をＡ領域のイメージ部分に複写し、背景テンプレート５０３とアイコンテンプレート５０２をＡ領域の背景とアイコン部分にそれぞれ複写し、入力したテキスト５０１をＡ領域のテキスト部分に複写することで、Ａ領域５０５を生成する。
【００１９】
選択したイメージ個数が２以上の場合、図６に示すように、効果１の効果テンプレート６００と効果２の効果テンプレート６１０を用いて効果１と効果２とが連結された新しい効果テンプレート６２０を作る。
【００２０】
時間の設定のためには、図７に示すように、効果テンプレート７００を複写した後に、時間を設定したい部分にフレームを追加（７０２）して時間を増大または減少させれば良い。Ａ領域７０１は、時間を増大または減少させる以前の効果テンプレートデータであり、設定された時間を適用したＡ領域７０３は、設定した時間７０２分、時間の増大した効果テンプレートデータである。
【００２１】
図８は、第３メモリ部に最終的に保存されたフラッシュイメージファイルをディスプレイしながらキャプチャーした図である。同図において、キャプチャーしたフラッシュイメージ８０１，８０３，８０５は、イメージ、背景テンプレート、アイコンテンプレート及び入力されたテキストを効果テンプレートを基盤として複写した結果の例を示し、キャプチャーしたフラッシュイメージ８０２は、キャプチャーしたフラッシュイメージ８０１，８０３に適用された右側から左側へスライドされる効果を示すもので、キャプチャーしたフラッシュイメージ８０４は、キャプチャーしたフラッシュイメージ８０３，８０５に適用された上方から下方へスライドされる効果を示すものである。
【００２２】
以上では具体的な実施例に挙げて本発明を説明してきたが、これらの具体例に本発明の保護範囲が限定されるわけはなく、本発明の保護範囲を逸脱しない限度内で様々な改変が可能であるということは、本発明の属する技術分野における通常の知識を持つ者にとっては明らかである。
【図面の簡単な説明】
【００２３】
【図１】本発明の好適な実施例によるテンプレート基盤フラッシュイメージを生成する機能を備える移動機器を示すブロック図である。
【図２】本発明の好適な実施例によるテンプレート基盤フラッシュイメージを生成する方法を示すフローチャートである。
【図３】テンプレート基盤複写過程を示すフローチャートである。
【図４】フラッシュイメージ生成する例を示す図である。
【図５】複写した効果テンプレートにイメージ、背景テンプレート、アイコンテンプレート及びテキストを複写した例を示す図である。
【図６】効果テンプレートと拡張された効果テンプレートの例を示す図である。
【図７】設定した時間を複写した効果テンプレートに適用する過程を示す図である。
【図８】生成したフラッシュイメージがディスプレイされる過程をキャプチャーした図である。
【符号の説明】
【００２４】
１    移動機器
６０    送／受信処理部
６１    デコーダ
６４    制御部
７０    キー入力部
７１    表示部
７２    撮像部
８０    ボコーダ
８２    インターフェース部
９０    メモリ部
【図１】
2008067389.tif 000003
【図２】
2008067389.tif 000004
【図３】
2008067389.tif 000005
【図６】
2008067389.tif 000006
【図７】
2008067389.tif 000007
【図４】
2008067389.tif 000008
【図５】
2008067389.tif 000009
【図８】
2008067389.tif 000010